(57)【特許請求の範囲】
【請求項１】
表示手段を有するリモコン装置との通信を可能とする通信手段と、
演奏情報と演奏支援情報を含む楽曲情報を記憶する記憶手段と、
演奏情報に基づいて演奏を可能とする演奏手段と、
接続数判定処理と、問い合わせ処理と、楽曲演奏処理とを実行可能な制御手段と、を備え、
前記接続数判定処理は、対応付けられている前記リモコン装置の数を判定し、
前記問い合わせ処理は、前記接続数判定処理において、前記リモコン装置が複数対応付けられている場合、複数の前記リモコン装置に対して前記演奏支援情報の表示可否を問い、
楽曲演奏処理は、指定された前記楽曲情報を読み出して、当該楽曲情報中の前記演奏情報を前記演奏手段に演奏させるとともに、前記演奏支援情報の表示が許可された前記リモコン装置に対して、当該楽曲情報中の前記演奏支援情報を表示させることを特徴とする
楽曲演奏装置。
【請求項２】
前記接続数判定処理において、前記リモコン装置が１台対応付けられている場合、前記問い合わせ処理を実行せずに、当該リモコン装置に対して前記演奏支援情報を表示させる前記楽曲演奏処理を実行することを特徴とする
請求項１に記載の楽曲演奏装置。
【請求項３】
前記楽曲情報は、複数の演奏楽器毎に前記演奏支援情報を含み、
前記楽曲演奏処理は、前記リモコン装置に対して、指定された演奏楽器に対応する前記演奏支援情報を表示させることを特徴とする
請求項１または請求項２に記載の楽曲演奏装置。
【請求項４】
前記楽曲演奏処理は、前記演奏情報の演奏に同期して、前記リモコン装置の前記表示手段に前記演奏支援情報が表示させることを特徴とする
請求項１から請求項３の何れか１項に記載の楽曲演奏装置。
【請求項５】
前記楽曲演奏処理は、前記接続数判定処理において、前記リモコン装置が複数対応付けられている場合、各前記リモコン装置に対して前記演奏支援情報の異なる部分を表示させることを特徴とする
請求項１から請求項４の何れか１項に記載の楽曲演奏装置。
【請求項６】
前記楽曲演奏処理は、前記演奏情報の演奏に同期して、演奏箇所に対応した前記リモコン装置を識別可能とするように、前記リモコン装置の前記表示手段の輝度を変化させることを特徴とする
請求項５に記載の楽曲演奏装置。
【請求項７】
請求項１から請求項６の何れか１項に記載の楽曲演奏装置と、リモコン装置を有する楽曲演奏システムであって、
前記リモコン装置は、
前記楽曲演奏装置との通信を可能とするリモコン側通信手段と、
各種情報を表示可能な表示手段と、
前記リモコン側通信手段を介して受信した前記演奏支援情報を、前記表示手段に表示させるリモコン側制御手段と、を備えることを特徴とする
楽曲演奏システム。
【発明の詳細な説明】
【技術分野】
【０００１】
本発明は、自動演奏と一緒に楽器演奏を楽しむことのできる楽曲演奏装置、及び、楽曲演奏装置に対して各種指令を出力するリモコン装置を含む楽曲演奏システムに関するものである。
【背景技術】
【０００２】
従来、自動演奏にあわせて歌唱を楽しむカラオケ装置が知られている。このようなカラオケ装置では、自動演奏のためＭＩＤＩ音源などの自動演奏装置を用いて行われることが多く、予め作成されたＭＩＤＩ情報（演奏情報）に従って順次演奏が実行される。このような自動演奏機能を利用して歌唱のみならず、楽器演奏を楽しむことのできるカラオケ装置が知られている。ユーザーは自動演奏中、自分の担当する楽器パートをミュート、もしくは、減音すること（いわゆるマイナスワン機能）で楽曲演奏に参加することが可能となる。
【０００３】
特許文献１には、このようなマイナスワン機能を備えた自動演奏装置において、所定の拍数を表すビートマークを、１小節内の拍数に対応した個数表示させ、表示したビートマークに対し、楽器カラオケの伴奏演奏のテンポに同期して、所定拍数毎に１つずつワイプ処理を行うことで演奏支援を行うことが開示されている。
【０００４】
特許文献２には、利用者ＩＤ毎に指定された楽器ＩＤを登録し、利用者が楽曲予約をしてその楽曲を演奏する際に、前記楽器ＩＤに対応した演奏ガイドテロップを演奏データの再生に同期させることで演奏支援を行うことが開示されている。
【０００５】
特許文献３には、アンサンブル演奏あるいはカラオケ演奏機能を有した鍵盤楽器において、文字情報および映像等の画像が表示される平板状の表示装置を設けたことが開示されている。この表示装置には、図９に表示されているように楽譜表示を行うことで演奏支援を行うことが可能とされている。
【先行技術文献】
【特許文献】
【０００６】
【特許文献１】特開平８−２９２７７７公報
【特許文献２】特開２００７−１９３２７３公報
【特許文献３】特開平１０−１５３９９２公報
【発明の概要】
【発明が解決しようとする課題】
【０００７】
特許文献１〜３に開示されているように、自動演奏機能を有するカラオケ装置などを利用した楽器演奏を行う場合、コード情報もしくは楽譜などを表示させることで演奏支援を行うことが行われている。
【０００８】
しかしながら、特許文献１、２においては、大型のテレビ装置に楽譜などを表示させている。通常、カラオケボックスのテレビ装置は、歌唱者が歌詞を確認することを目的として部屋の前方や部屋の隅に固定配置されていることが通常である。楽器を演奏する際には、紙の楽譜を置くように演奏者の前方斜め下辺りに配置することが好ましいが、そもそも歌唱を目的として設置されたテレビ装置を利用した場合には、楽器演奏する際に楽譜を見る通常の視線とは異なる視線（顔の向き）で演奏しなければならない。
【０００９】
演奏者が視認しやすいようにテレビ装置を移動させることや、演奏支援のための楽譜などを表示させる専用の機器を用意することも考えられるが、何れにしても手間とコストがかかることとなる。また、紙の楽譜を用意しておくことも考えられるが、雰囲気を重視するカラオケボックス等では、照明は暗めに設定されているため紙の楽譜では視認性が悪い。また、紙の楽譜では取り扱いも煩雑なものとなってしまう。
【００１０】
出願人は、このような問題のため、カラオケ装置（楽曲演奏装置）を遠隔操作するための電子早見本やリクエスト装置など（以下、リモコン装置）が、利用者の手元で使用される点に着目し、リモコン装置の表示手段に対して、楽譜など演奏支援のための情報を利用者の楽器演奏する手元で表示することを検討している。
【００１１】
しかしながら、一般的なリモコン装置の表示手段は、画面が小さく一度に表示できる情報量が少ないため、演奏に必要とされる楽譜量を一度で目視できるように表示させた場合には、縮小して表示されることとなり、手元であっても十分な視認性を確保することができない。
【００１２】
ところで、カラオケボックス内では複数のリモコン装置を使用する（例えば、特開２００７−２７２０７４号参照）ことが可能である。何れかのリモコン装置に楽譜など演奏支援のための情報を表示させることも考えられるが、その場合、演奏者はどのリモコン装置に対して演奏支援のための情報が表示されるか、実際に表示手段に表示されるまで確認することができないといった問題がある。
【課題を解決するための手段】
【００１３】
そのため本発明に係る楽曲演奏装置は、
表示手段を有するリモコン装置との通信を可能とする通信手段と、
演奏情報と演奏支援情報を含む楽曲情報を記憶する記憶手段と、
演奏情報に基づいて演奏を可能とする演奏手段と、
接続数判定処理と、問い合わせ処理と、楽曲演奏処理とを実行可能な制御手段と、を備え、
前記接続数判定処理は、対応付けられている前記リモコン装置の数を判定し、
前記問い合わせ処理は、前記接続数判定処理において、前記リモコン装置が複数対応付けられている場合、複数の前記リモコン装置に対して前記演奏支援情報の表示可否を問い、
楽曲演奏処理は、指定された前記楽曲情報を読み出して、当該楽曲情報中の前記演奏情報を前記演奏手段に演奏させるとともに、前記演奏支援情報の表示が許可された前記リモコン装置に対して、当該楽曲情報中の前記演奏支援情報を表示させることを特徴とする。
【００１４】
さらに本発明に係る楽曲演奏装置は、
前記接続数判定処理において、前記リモコン装置が１台対応付けられている場合、前記問い合わせ処理を実行せずに、当該リモコン装置に対して前記演奏支援情報を表示させる前記楽曲演奏処理を実行することを特徴とする。
【００１５】
さらに本発明に係る楽曲演奏装置において、
前記楽曲情報は、複数の演奏楽器毎に前記演奏支援情報を含み、
前記楽曲演奏処理は、前記リモコン装置に対して、指定された演奏楽器に対応する前記演奏支援情報を表示させることを特徴とする。
【００１６】
さらに本発明に係る楽曲演奏装置において、
前記楽曲演奏処理は、前記演奏情報の演奏に同期して、前記リモコン装置の前記表示手段に前記演奏支援情報が表示させることを特徴とする。
【００１７】
さらに本発明に係る楽曲演奏装置において、
前記楽曲演奏処理は、前記接続数判定処理において、前記リモコン装置が複数対応付けられている場合、各前記リモコン装置に対して前記演奏支援情報の異なる部分を表示させることを特徴とする。
【００１８】
さらに本発明に係る楽曲演奏装置において、
前記楽曲演奏処理は、前記演奏情報の演奏に同期して、演奏箇所に対応した前記リモコン装置を識別可能とするように、前記リモコン装置の前記表示手段の輝度を変化させることを特徴とする。
【００１９】
また本発明に係る楽曲演奏システムは、
上記した何れか１項に記載の楽曲演奏装置と、リモコン装置を有する楽曲演奏システムであって、
前記リモコン装置は、
前記楽曲演奏装置との通信を可能とするリモコン側通信手段と、
各種情報を表示可能な表示手段と、
前記リモコン側通信手段を介して受信した前記演奏支援情報を、前記表示手段に表示させるリモコン側制御手段と、を備えることを特徴とする。
【発明の効果】
【００２０】
本発明の楽曲演奏装置によれば、カラオケボックスなど複数台のリモコン装置が利用される環境下においても、演奏支援情報を表示させるリモコン装置を選択することが可能となり、演奏者は選択したリモコン装置を利用して楽譜などの演奏支援情報を視認することが可能となる。また、リモコン装置は可搬性に優れているため、演奏者の好みの位置に設置して利用することが可能となる。
【００２１】
さらに本発明の楽曲演奏装置では、１台のリモコン装置が利用される環境下においては、当該リモコン装置に対して演奏支援情報を表示させることで、複数台利用時に行う問い合わせ処理に対する応答操作を行う必要が無く、ユーザーは煩雑な操作を行う必要が無い。
【００２２】
さらに本発明の楽曲演奏装置では、複数の演奏楽器毎の演奏支援情報を有することで、１つの楽曲に対し、演奏楽器を選択した演奏を行うことが可能となる。
【００２３】
さらに本発明の楽曲演奏装置では、複数のリモコン装置に対して演奏支援情報の異なる部分を表示させることとしている。このような構成によれば、演奏者は複数のリモコン装置を利用して１つの演奏支援情報を視認することが可能となり、実質、表示手段の拡大を図ることが可能となる。その際、演奏に同期して演奏箇所に対応した表示手段の輝度を変化させることで、どのリモコン装置を視認すべきか容易に判断することも可能となる。
【図面の簡単な説明】
【００２４】
【図１】本発明の実施形態に係るカラオケシステムを示す図
【図２】本発明の実施形態に係る楽器楽曲演奏準備処理を示すフロー図
【図３】本発明の実施形態に係る楽譜表示処理を示すフロー図
【図４】本発明の実施形態に係る楽譜表示画面（２台のリモコン装置使用時）を示す図
【発明を実施するための形態】
【００２５】
図１は、本発明の実施形態に係るカラオケシステムの構成を示す図である。本実施形態
におけるカラオケシステムは、コマンダ２（楽曲演奏装置）と、リモコン装置１にて構成されており、これらは、ＬＡＮ１００にて、無線、有線で互いに接続されている。ここではカラオケ装置となるコマンダ２を楽曲演奏装置として説明するが、楽曲演奏装置としては、自動演奏機能を備えた各種ＭＩＤＩ機器であってもよいし、また、コンピュータに実装する楽曲演奏用プログラムとして提供することとしてもよい。
【００２６】
店舗に設置されるコマンダ２は、リモコン装置１（例えば、１ａ、１ｂ）によりユーザーからの各種指示を受け付けることが可能となっている。また、リモコン装置１は表示部１１と操作部１７が共有されたタッチパネル表示画面を備え、ユーザーに対して各種情報を提供することも可能である。リモコン装置１は、ＬＡＮ１００上に設置されたアクセスポイント１１０を介してコマンダ２と無線接続される。図中に破線で示されるように、例えばコマンダ２にはリモコン装置１ａと１ｂが対応付けられ、ＬＡＮ１００を介して情報を送受信することが可能となっている。また、リモコン装置１とコマンダ２とは赤外線などを利用した近距離通信を行うことも可能である。
【００２７】
さらに、本実施形態のカラオケシステムでは、ユーザーに各種サービスを提供するためインターネットを介してカラオケ用ホスト５（サーバ装置）が設けられ、その記憶部５１には、楽曲情報やユーザー情報など、各種サービスに必要な情報を記憶している。そして、ルータ１２０を通じて、コマンダ２、又はリモコン装置１と、各種情報の送受信が行えるように構成されている。
【００２８】
本発明の実施形態に係る楽曲演奏装置としてのコマンダ２は、全体を統括制御する制御部３０を中心として機能し、主な機能として、楽曲演奏処理、映像表示処理、楽曲予約処理などを実行可能としている。記憶手段としてのハードディスク（ＨＤＤ）３２には、楽曲演奏処理で使用する楽曲情報が記憶されている。
【００２９】
楽曲情報は、演奏情報、歌詞情報を含んで構成されているが、特に、本実施形態では、ユーザーが外部楽器を使用して演奏を行うための楽器楽曲に対応した楽曲情報を記憶している。このような楽曲情報には、演奏情報以外に演奏支援情報を含んで構成されている。この演奏支援情報は、楽譜あるいはギターのタブ譜など、楽器演奏者に対し演奏を支援するための情報である。演奏支援情報には、複数の演奏支援情報を有することとしてもよい。その場合、ユーザーにより指定された演奏楽器に対応する演奏支援情報が使用されることとなる。なお、本実施形態における演奏支援情報は、リモコン装置１で表示させる際には、コマンダ２からリモコン装置１に送信される。あるいは、演奏支援情報のみをリモコン装置１に予め記憶させておいてもよい。
【００３０】
楽曲演奏処理は、入力部２１やリモコン装置１にて、ユーザーにより指定された楽曲に対応する演奏情報をＭＩＤＩ音源などを備えた音響制御部７０にて演奏させ、スピーカー４２から放音させる処理である。このとき、スピーカー４２からは歌唱用マイク４４ａから入力される音声も合わせて放音される。映像再生処理は、映像制御部３１にて各種映像情報、歌詞情報などを再生させ、モニタ４１を介した視覚情報をユーザーに提供する処理である。
【００３１】
楽曲予約処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１は、この楽曲指定処理に限らず、ユーザー個別のサービスを提供するためのログイン処理など各種処理を実行することが可能である。
【００３２】
本実施形態では、コマンダ２に対して外部楽器４４ｂが接続可能とされている。外部楽器４４ｂとしては、ギター、ベース、キーボードなど電気的な音響信号を出力可能なものを採用することが可能である。。その場合、音響制御部７０にて演奏される演奏情報とミキシングしてスピーカー４２から放音される。この他、外部楽器には、ＭＩＤＩキーボードなどＭＩＤＩ信号を出力可能なものを使用し、音響制御部７０内のＭＩＤＩ音源を制御することで、演奏を行うこととしてもよい。この他、電気的な音響出力を有さないアコースティックな楽器を採用してもよい。その場合には、マイクロホンで拾った楽器音を音響制御部７０に入力する、あるいは、スピーカー４２を介すことなく楽器自身から放音される音を利用することが考えられる。
【００３３】
図２には、本発明の実施形態に係る楽器楽曲演奏準備処理が示されている。本実施形態では、楽器楽曲の演奏処理を行う前に、コマンダ２に対応付けられているリモコン装置１に対して、表示部１１に演奏支援情報（本実施形態では楽譜）の表示を行うか否かを問う処理を実行している。コマンダ２が、この楽器楽曲演奏準備処理を実行することで、ユーザーはどのリモコン装置１にて演奏支援情報が表示されるかを事前に指定することが可能となっている。
【００３４】
ユーザーの予約に基づいて楽曲が演奏される場合、コマンダ２は、これから演奏される楽曲が楽器楽曲、具体的には、楽曲データ中に楽譜情報を有した楽曲であるか否かの判定を実行する。楽器楽曲ではない場合（Ｓ１０１：Ｎｏ）には、楽譜表示を伴わない通常楽曲であるため、通常の演奏処理を実行する（Ｓ１１３）。
【００３５】
一方、演奏される楽曲が楽器楽曲である場合（Ｓ１０１：Ｙｅｓ）には、コマンダ２の制御部３０は、メモリ２７に記憶しているリストを読み出して、当該コマンダ２に対応付けられているリモコン装置１を確認する。Ｓ１０３では、Ｓ１０２の確認に基づきコマンダ２に対応付けられているリモコン装置１の台数が１台もしくは複数台であるかが判定される（接続数判定処理）。対応付けられたリモコン装置１が１台の場合（Ｓ１０３：１台）には、リモコン装置１を選択する余地は無いため、当該リモコン装置１に対して楽譜表示モード命令を送信する。楽譜表示モード命令を受信したリモコン装置１は、さらなるコマンダ２からの指示に基づいて、表示部１１に演奏支援情報である楽譜の表示を行う楽譜表示モードに移行して待機する。
【００３６】
一方、リモコン装置１が複数台対応付けられている場合（Ｓ１０３：複数台）、コマンダ２は、各リモコン装置に対して、問い合わせ処理として楽譜表示許可確認指令を送信する（Ｓ１０４）。楽譜表示許可確認指令を受信した各リモコン装置１は、ユーザーに対し、当該リモコン装置１で、楽譜表示を行うか否かを問う確認画面を表示する。コマンダ２は、リモコン装置１から送信される可否応答情報を受信可能な楽譜表示可否応答受信処理（Ｓ１０５）に入る。リモコン装置１から可否応答情報を受信した場合（Ｓ１０６：Ｙｅｓ）、可否応答情報をリモコン装置１に対応付けてメモリ２７に記憶する。
【００３７】
この可否応答情報の受信は、メモリ２７に記憶するリストを参照し、対応付けられた全てのリモコン装置１から可否応答情報を受信する（Ｓ１０８：Ｙｅｓ）、もしくは、２台のリモコン装置１から可否応答情報を受信する（Ｓ１０９：Ｙｅｓ）まで実行される。その際、２台のリモコン装置１から可否応答情報を受信した場合（Ｓ１０９：Ｙｅｓ）には、未応答のリモコン装置１に対して確認表示終了命令が送信される。確認表示終了命令を受信したリモコン装置１は、確認画面の表示を終了し、通常の動作に復帰する。
【００３８】
Ｓ１１１では、可否応答情報において、表示部１１に楽譜を表示することを許可する応答をしたリモコン装置１に対して、楽譜表示モードへ移行する命令を送信する。Ｓ１１２
と同様、楽譜表示モード命令を受信したリモコン装置１は、楽譜表示モードで待機してコマンダ２からの指示を待つ。
【００３９】
以上、本実施形態の楽器演奏準備処理では、コマンダ２に対して１台のリモコン装置１が対応付けられている場合には、リモコン装置１において表示確認させることなく、当該リモコン装置１に対して楽譜表示を行わせることとしている。また、コマンダ２に対して複数台のリモコン装置１が対応付けられている場合には、各リモコン装置１に対して、確認画面を表示させ、ユーザーに対してどのリモコン装置１で楽譜表示を行うかを問うこととしている。さらに、本実施形態では、２台のリモコン装置１を使用して楽譜表示を行うことを可能としている。この場合、各リモコン装置１の表示部１１それぞれに対して異なるページの楽譜を表示させることで、実質、楽譜表示領域の拡大を図ることが可能となる。
【００４０】
では、リモコン装置１における楽譜表示処理について説明を行う。楽器楽曲演奏準備処理にて、楽譜表示モードで待機するリモコン装置１は、コマンダ２からの更なる指示により楽譜表示を実行する。本実施形態における楽譜表示は、複数のページで構成された楽譜情報に基づいて実行される。リモコン装置１における楽譜表示は、以下の方式の方式で行うことが可能である。
【００４１】
方式の１つして、リモコン装置１側に予め楽譜情報を記憶しておき、コマンダ２から送信されるページ切り替え信号に基づいて、表示ページを順次切り替える方式が考えられる。本方式では、コマンダ２は、楽曲の演奏に同期してページを切り替えるための表示指示をリモコン装置１に送信する。リモコン装置１は、表示指示の受信に同期して次の表示ページに切り替えを行う。本方式において、リモコン装置１は、楽器演奏曲全ての楽譜情報を予めメモリ１４に記憶しておくこととしてよい。あるいは、楽曲が指定される毎に、コマンダ２からリモコン装置１に対して送信してもよい。その場合、ページ単位で楽譜情報を送信することとしてもよい。
【００４２】
他の方式として、ページ単位の楽譜情報を表示指示としてコマンダ２からリモコン装置１に送信することも可能である。リモコン装置１では、ページ単位の楽譜情報を受信する毎に、受信した楽譜情報を表示させることで、演奏に同期した楽譜表示を行うことが可能である。
【００４３】
リモコン装置１にて表示される楽譜には、現状、カラオケにおける歌詞表示と同様、演奏に同期して演奏箇所を表示することとしてもよい。演奏箇所の表示には、演奏済みの箇所の表示色を変化させることや、矢印などのマーカーを表示させることが考えられる。
【００４４】
以上、リモコン装置１における楽譜表示処理について説明したが、本実施形態では、楽器楽曲演奏準備処理において、２台のリモコン装置１において楽譜表示が許可された場合、それぞれのリモコン装置１に対して、楽譜情報中、異なる部分（ページ）を表示させることとしている。複数ページを同時に表示可能とすることで、実質、楽譜の表示領域の拡張が図られる。
【００４５】
図３には、このように２台のリモコン装置１を使用した場合の楽譜表示処理が示されている。図２で説明した楽器楽曲演奏準備処理を終えたコマンダ２は、楽譜表示が許可された２台のリモコン装置１ａ、１ｂに対して最初の楽譜、すなわち、リモコン装置１ａに対しては１ページ目に相当する楽譜情報を表示させ（Ｓ２１１）、そして、リモコン装置１ｂに対しては２ページ目に相当する楽譜情報を表示させる（Ｓ２２１）。図４の（ｔ１）には、このような２台のリモコン装置１ａ、１ｂを使用した楽譜表示における画面の様子が示されている。符号１１ａはリモコン装置１ａの表示部を、符号１１ｂはリモコン装置
１ｂの表示部を示している。
【００４６】
その後、コマンダ２は、演奏する楽器楽曲に対応する楽曲情報を音響制御部７０に演奏開始させる。演奏の進行に伴い、リモコン装置１ａにて表示させている１ページ目の楽譜の演奏が終了したとき、すなわち、演奏箇所が２ページ目の楽譜と移行したと判定された場合（Ｓ２０３：Ｙｅｓ）には、リモコン装置１ａに対して３ページ目の楽譜を表示させる（Ｓ２１２）。同様に、リモコン装置１ｂに表示させている２ページ目の楽譜の演奏が終了したとき、すなわち、演奏箇所が３ページ目の楽譜に移行したと判定された場合（Ｓ２０４：Ｙｅｓ）には、リモコン装置１ｂに対して４ページ目の楽譜を表示させる（Ｓ２２２）。
【００４７】
演奏情報の演奏中、コマンダ２は、Ｓ２０３〜Ｓ２０４を繰り返し実行することで、リモコン装置１ａ、１ｂには順次、楽譜表示が実行される。図４には、演奏の進行に伴って表示する楽譜のページ数が変化する様子が時系列（ｔ１）〜（ｔ４）で示されている。図に示されるように、リモコン装置１ａの表示部１１ａに対しては奇数ページが、また、リモコン装置１ｂの表示部１１ｂに対しては１１ｂが順次表示される。
【００４８】
ところで、このように複数のリモコン装置１ａ、１ｂを使用して楽譜表示を行った場合、ユーザーは、表示部１１ａ、１１ｂ、どちらの画面を視認すべきか迷うことが考えられる。そのため、演奏に同期して現在演奏している楽譜を表示しているリモコン装置１ａ、１ｂの表示部１１ａ、及び１１ｂに備えられたバックライト照明（図示せず）の明暗を制御することで、現在演奏している楽譜を表示している画面の輝度を高くする。あるいは、逆に演奏していない楽譜を表示しているリモコン装置１ａ、又は１ｂの表示部１１ａ，１１ｂの画面の輝度を下げることで、ユーザーに対してどちらの表示部１１ａ、１１ｂの画面を視認すべきかを促すことが好ましい。カラオケボックスやスナックなど、雰囲気向上のため照明が暗く設定場所では、このように表示部１１ａ、１１ｂの画面の輝度変化を行うことで、楽譜の視認性の向上を図ることが可能となる。
【００４９】
以上、本実施形態の楽曲演奏装置では、それに対応付けられた複数台のリモコン装置が使用される環境下においても、楽譜などの演奏支援情報を表示させるリモコン装置を予め指定可能としたことで、所望のリモコン装置に対して演奏支援情報を表示させることが可能となる。
【００５０】
本実施形態で説明した演奏支援情報（楽譜）表示について、さらに機能を付加することも考えられる。例えば、表示部１１ａ、１１ｂは、一定期間の間、各操作部１７に対して入力操作が行われないときには、上記バックライト照明を完全に消す、あるいは、輝度を落とす消灯機能を備えている場合がある。このような場合、リモコン装置１ａ、１ｂの各制御部１５は、各自の制御対象である表示部１１ａ、又は１１ｂに対して、楽譜表示を処理している期間（Ｓ２１１〜Ｓ２１３、又はＳ２２１〜Ｓ２２３）に、この消灯機能を実行しないことで、現在、演奏している楽譜の表示画面が意図せずに暗くなってしまうことを防いでもよい。こうしても、十分な視認性を確保することができる。
【００５１】
あるいは、演奏支援情報（楽譜）を表示している間、リモコン装置１ａ、１ｂに対する不意の操作により、画面が他の機能に切り替えられ、演奏支援情報が非表示とならないよう、演奏支援情報を表示している間は、操作部１７からの操作を受け付けないように操作ロックする機能を付加することも考えられる。複数の操作部１７を有する場合、例えば、タッチパネルなど誤操作を起こしやすい操作部１７のみを操作ロックの対象としてもよい。
【００５２】
なお、本発明はこれらの実施形態のみに限られるものではなく、それぞれの実施形態の
構成を適宜組み合わせて構成した実施形態も本発明の範疇となるものである。
【符号の説明】
【００５３】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（楽曲演奏装置）、２１…操作部、２２…操作処理部、２３…赤外線通信部、２４…インターフェイス部、２７…メモリ、２８…ビデオＲＡＭ、２９…映像再生部、３０…制御部、３１…映像制御部、３２…ハードディスク、４１…モニタ、４２…スピーカー、４４ａ…歌唱用マイク、４４ｂ…外部楽器、１００…ＬＡＮ、１１０…アクセスポイント、１２０…ルータ、５…カラオケ用ホスト、５１…記憶部、７０…音響制御部
【図１】
0005477597.tif 000002
【図２】
0005477597.tif 000003
【図３】
0005477597.tif 000004
【図４】
0005477597.tif 000005